(57)【要約】【課題】  トレイ形包装用箱の底パネルを介してパッケージ容器の底部に加わる外力を緩和できるようにし、これにより、パッケージ容器に収納し、さらにトレイ形包装用箱に収納した生鮮果実等が傷みにくくする。また、トレイ形包装用箱に収納した生鮮果実のパッケージ容器を安定且つ確実に支持する。【解決手段】  トレイ形包装用箱は、箱体の内側壁の下部をパック支持パネル１１、１１として箱体の内側に張り出させ、そのパック支持パネル１１、１１の上辺部２２、２２でパッケージ容器１５の周囲のフランジ１７を載せて支持する。また、箱体内部を仕切る仕切を兼ねるパック支持パネル６を箱体の内部に挿入し、パック支持パネル６の上辺部２４、２４で箱体内部に収納するパッケージ容器１５の周囲のフランジ１７を載せて支持する。【選択図】      図２
2005200080.tif 000002
【特許請求の範囲】
【請求項１】
底パネル（１）の対向する２辺から箱体の側壁を形成するパネルを起立させ、底パネル（１）の対向する他の２辺から箱体の端壁を形成するパネルを起立させ、隣接するこれら側壁のパネルと端壁のパネルとを互いに固定して上面を開口した箱体を形成したトレイ形包装用箱において、箱体の内側壁の下部をパック支持パネル（１１）として箱体の内側に張り出させ、そのパック支持パネル（１１）の上辺部（２２）、（２２）で箱体内部に収納するパッケージ容器（１５）の周囲のフランジ（１７）を載せて支持することを特徴とするトレイ形包装用箱。
【請求項２】
箱体内部を仕切る仕切を兼ねるパック支持パネル（６）を箱体の内部に挿入し、パック支持パネル（６）の上辺部（２４）、（２４）で箱体内部に収納するパッケージ容器（１５）の周囲のフランジ（１７）を載せて支持することを特徴とする請求項１に記載のトレイ形包装用箱。
【請求項３】
箱体の端部内側にパック支持フラップ（７）を配置し、その上辺部（２５）でパッケージ容器（１５）の周囲のフランジ（１７）を載せて支持することを特徴とする請求項１または２に記載のトレイ形包装用箱。
【発明の詳細な説明】
【技術分野】
【０００１】
本発明は、底パネルの対向する２辺から箱体の側壁を形成するパネルを起立させ、底パネルの対向する他の２辺から箱体の端壁を形成するパネルを起立させ、隣接する側壁のパネルと端壁のパネルとを互いに連結して上面を開口する箱体を形成したトレイ形包装用箱に関し、特に箱体内部に果物等を収納するトレイ状のパッケージ容器１５を収納するトレイ形包装用箱に関する。
【背景技術】
【０００２】
例えば、イチゴ等の生鮮果実を収納したパックを収納して出荷する箱体として前述のようなトレイ形包装用箱が多く使用されている。
このトレイ形包装用箱は、矩形の底パネルの対向する２辺から側パネルを起立させ、底パネルの対向する他の２辺から端パネルを起立させる。そして例えば、側パネルの両側に延設した連結フラップを端パネルの内側で互いに連結し、二重にした端パネルの間に挟み込むか、或いは連結フラップを端パネルに連結することにより、隣接する側パネルと端パネルとを互いに連結したものである。
【０００３】
このようなトレイ形包装用箱は、長さや幅の寸法に比べて比較的浅く、仕切により４つに区画し、それぞれの区画にイチゴのパッケージ容器を収納する。そのために、対向する側パネルの間と対向する端パネルの間にそれぞれ仕切パネルを渡し、これら仕切パネルを中央で互いに差し込んで直交状に交差させている。イチゴのパッケージ容器は、ポリエチレンテレフタレート等からなる薄い透明な樹脂製の容器で、平面長方形であり、側面及び端面が逆台形であり、開口部周囲に一体にフランジが延設されている。
【０００４】
このようなトレイ形包装用箱は、イチゴ等の生鮮果実の生産農家が収穫した生鮮果実を出荷するときにブランクから組み立て、その中に出荷する生鮮果実のパックを詰めてその生鮮果実を出荷する。そして、市場での競り売り等を経て、小売店の店頭に並べられる。小売店の店頭では、パッケージ容器を一単位として生鮮果実が小売りされる。
【０００５】
イチゴのこのような流通過程において、生鮮果実の傷みを防止し、鮮度を保持するためには、荷物の取扱中にトレイ形包装用箱に収納梱包された生鮮果実に外力が及ばないようにしなければならない。特に、路地もののイチゴが出荷される前に出荷されるハウスもののイチゴは、市場で高価に取り引きされ、その分だけイチゴの傷みに対して取引価格が大きく左右される。このため、出荷する側としては、流通過程における傷みを極力防止する必要性がある。
【０００６】
しかしながら、従来のトレイ形包装用箱は、イチゴを収納したパッケージ容器をトレイ形包装用容器の内部に仕切られた各区画に収納しているため、パッケージ容器は底パネルに接した状態で収納される。このため、パッケージ容器に収納された生鮮果実は、トレイ形包装用容器の底パネルの外部から加わる外力を底パネルを介して受けることになる。これにより、流通過程で特にパッケージ容器の底部付近の生鮮果実が傷みやすい。
【特許文献１】特開２００２−３０２１１８号公報
【発明の開示】
【発明が解決しようとする課題】
【０００７】
本発明は、パッケージ容器に生鮮果実を収納した状態で梱包、出荷するための前述のような従来のトレイ形包装用箱の課題に鑑み、その第一の目的は、トレイ形包装用箱の底パネルを介してパッケージ容器の底部に加わる外力を緩和できるようにし、これにより、パッケージ容器に収納し、さらにトレイ形包装用箱に収納した生鮮果実等が傷みにくくすることである。さらにその第二の目的は、トレイ形包装用箱に収納した生鮮果実のパッケージ容器を安定且つ確実に支持出来るようにすることである。
【課題を解決するための手段】
【０００８】
本発明では、前記の目的を達成するため、パッケージ容器１５の周囲のフランジ１７を支持するパック支持パネル６、１１、１１やパック支持フラップ７、７を箱体の内部に設けた。これにより、パッケージ容器１５をその底面だけでなく、そのフランジ１７でも支持されるようにしたものである。或いは、パッケージ容器１５をフランジ１７のみで支持し、底面が箱体の底パネル１に当たらないようにした。これにより、パッケージ容器１５の底面からその中に収納した生鮮果実等の収納物に外力が及ばないようにした。
加えて、パック支持パネル１１、１１を箱体の側壁と一体に設け、パッケージ容器１５のフランジ１７を安定して確実に支持出来るようにした。
【０００９】
すなわち、本発明が適用されるトレイ形包装用箱は、底パネル１の対向する２辺から箱体の側壁を形成するパネルを起立させ、底パネル１の対向する他の２辺から箱体の端壁を形成するパネルを起立させ、隣接するこれら側壁のパネルと端壁のパネルとを互いに固定して上面を開口した箱体を形成ししたものである。
【００１０】
本発明では、このようなトレイ形包装用箱において、箱体の内側壁の下部をパック支持パネル１１、１１として箱体の内側に張り出させ、そのパック支持パネル１１、１１の上辺部２２、２２でパッケージ容器１５の周囲のフランジ１７を載せて支持する。また、箱体内部を仕切る仕切を兼ねるパック支持パネル６を箱体の内部に挿入し、パック支持パネル６の上辺部２４、２４で箱体内部に収納するパッケージ容器１５の周囲のフランジ１７を載せて支持する。
【００１１】
このような本発明によるトレイ形包装用箱では、パッケージ容器１５を箱体内部に収納したとき、パッケージ容器１５の周囲に延設したフランジ１７がパック支持パネル１１、１１の上辺部２２、２２とパック支持パネル６の上辺部２４、２４で支持されるため、箱体を介してパッケージ容器１５に加わる外力をそのフランジ１７でも受けることが出来る。これにより、箱体の底パネル１を介してパッケージ容器１５の底面に加わる外力を緩和することが出来る。
【００１２】
そして、箱体の内側壁の下部を箱体の内側に張り出させてパック支持パネル１１としていることにより、パック支持パネル１１は箱体と一体となって安定している。このため、パック支持パネル１１によりパッケージ容器１５のフランジ１７を安定して支持することが出来る。
【００１３】
なお、パッケージ容器１５を箱内で安定して支持するためには、箱体内部を仕切るための仕切もパック支持パネル６とし、これを箱体の内部に挿入し、その上辺部２４、２４で箱体内部に収納するパッケージ容器１５の周囲のフランジ１７を載せて支持するようにする。また、箱体の内端面側にもパック支持フラップ７、７を配置し、その上辺部２５、２５でパッケージ容器１５の周囲のフランジ１７を載せて支持するようにする。
【００１４】
さらに、パック支持パネル６の上辺部２４、２４、パック支持パネル１１、１１の上辺部２２、２２及びパック支持フラップ７、７の上辺部２５、２５の底パネル１からの高さをパッケージ容器１５のフランジ１７の高さより高くする。これにより、パッケージ容器１５の底面が箱体の底パネル１に当たらなくなる。従って、箱体の底パネル１を介してパッケージ容器１５の底面に加わる外力を殆ど無くすことが出来る。
【発明の効果】
【００１５】
このように、本発明によるトレイ形包装用箱では、箱体の底パネル１を介してパッケージ容器１５の底面に加わる外力を緩和するか、或いは殆ど無くすことが出来るので、箱体の底パネル１を介してパッケージ容器１５の中に収納した収納物に及ぶ外力を緩和し、或いは無くすことが出来る。このため、生鮮果実等の収納物の傷みや破損を防止することが出来る。
【００１６】
さらに、パック支持パネル１１、１１が箱体の側壁と一体になっているため、パック支持パネル１１、１１の位置や姿勢が安定する。これにより、パッケージ容器１５のフランジ１７をパック支持パネル１１、１１の上辺部２２、２２で安定して支持することが出来るようになる。
【発明を実施するための最良の形態】
【００１７】
本発明では、箱体内部でパッケージ容器１５の周囲のフランジ１７を支持するパック支持パネル６、１１、１１やパック支持フラップ７、７を箱体の内部に設け、箱体の底壁からパッケージ容器１５に加わる衝撃を低減するようにした。また、一部のパック支持パネル１１を箱体の側壁と一体にすることにより、パッケージ容器１５の安定した支持を実現した。
以下、このような本発明の実施例について、図面を参照しながら具体例を挙げて詳細に説明する。
【実施例１】
【００１８】
図１は、本発明の一実施形態によるトレイ形包装用箱のブランクの展開図である。このブランクは、厚紙により形成され、最も一般的には、波状に折り曲げた紙製の中芯をその両側から紙製のライナーでラミネートした段ボール板により形成される。同図において、実線は外形線と切断線、破線は折線を表す。
【００１９】
矩形の底パネル１の両側部、すなわち図１において底パネル１の左右両辺となる折線の中央部から僅かに内側に離れて、その折線と平行なスリット２０、２０が開設されている。
さらに、その折線から一対の側外パネル２、２が延設されている。この側外パネル２、２の幅、すなわち図１において上下の寸法は、底パネル１の側辺の長さとほぼ同じである。
【００２０】
前記の側外パネル２、２の両側、すなわち図１において上下の端の折線から補助フラップ９、９が延設されている。この補助フラップ９、９は、その上辺側、すなわち図１の両側において、２条の破断線とその間の折線によって折り返すことが出来るようになっている。その折り返す高さは、側外パネル２、２の高さと同じである。この補助フラップ９、９の長さ、すなわち図１において上下方向の寸法は、後述する端パネル３の幅の１／２より長い。この補助フラップ９、９の先端側であって、前記の２条の破線状の切込線の途中に正方形に切り出された連結係合部１５、１５が設けられている。補助フラップ９、９の側外パネル２、２との折線から前記連結係合部１５、１５の中心までの距離が後述する端パネル３の幅の１／２である。
【００２１】
前記の側外パネル２、２の両側部、すなわち図１において側外パネル２、２の左右両側には、二点差線で示す平行な２本の折線を介して側内パネル８、８が延設されている。この側内パネル８、８は、側外パネル２、２に対し、二点差線で示す平行な２本の折線に沿って図１において紙面手前側に折り曲げることができる。二点差線で示す平行な２本の折線の両端に近い位置には、後述する連結フラップ１０、１０の差込フラップ１３、１３を差し込むためのスリット１４、１４が開設されている。この側内パネル８、８の両側、すなわち図１において上下の端は、３条の折線を介して前記補助フラップ９、９の上の折り返し部分が連なっている。補助フラップ９、９の２条の破断線とその間の折線は、側外パネル２、２と側内パネル８、８との間の二点差線で示す平行な２本の折線の延長線上にある。
【００２２】
側内パネル８、８の下側、つまり図１において両側の約３／５程の部分は、パック支持パネル１１、１１となっている。上側の側内パネル８、８と下側のパック支持パネル１１、１１との間は幅の狭いスリットとなっていると共に、このスリットの中央及び両側に設けた連結部２３、２３…により、側内パネル８、８とパック支持パネル１１、１１とが一体的に連結されている。この連結部２３、２３…は、前記スリットの幅の２倍強の間隔の平行な２条の折線の間に形成されている。
【００２３】
パック支持パネル１１、１１の下辺、つまり図１において両側の辺の中央部に低い係止突起２１、２１が突設されている。この係止突起２１、２１の幅は前記底パネル１の両側中央部に設けたスリット２０、２０より僅かに狭い。
両側の連結部２３、２３の端を起点とする折線を介してパック支持フラップ７、７が延設されている。このパック支持フラップ７、７の上辺となる中央の部分は、上辺部２５、２５として一段高くなっている。
【００２４】
矩形の底パネル１の両端部、すなわち図１において底パネル１の上下の折線から、一対の端外パネル３、３が延設されている。この端外パネル３、３の幅、すなわち図１において左右の寸法は、底パネル１の幅とほぼ同じである。また、端外パネル３、３の高さは、前記側外パネル２、２とほぼ等しい。正確には端外パネル３、３の高さは、側外パネル２、２よりブランク１枚分の厚さ程度高い。
【００２５】
この端外パネル３、３の上辺、すなわち図１において上下の辺には、２本の平行な折線を介して端内パネル４、４が延設されている。この端内パネル４、４の両側から前記第二の補助フラップ９、９の先端側にかけて連結フラップ１０、１０が切り出されている。この連結フラップ１０、１０の基部となる折線は、端外パネル３、３の上面の外側となる折線、すなわち底パネル１に近い側の折線と共通している。連結フラップ１０、１０は、この折線の両端部をそれぞれ中心とする９０゜の扇状のものである。
【００２６】
この連結フラップ１０、１０の両端は、前記第二の補助フラップ９、９の先端部を切り出して形成した差込フラップ１３、１３であり、この差込フラップ１３、１３の基部は図１において縦の折線となっている。この差込フラップ１３、１３は舌片状であり、後述する箱体の組み立て時に前記スリット１４、１４に挿入しやすく、且つ挿入した後は抜け難いように、舌片状の基部にあご状の突起が形成されている。
【００２７】
図１に示すように、箱体の本体を形成するブランクとは分離して、仕切パネル５とパック支持パネル６とが切り出されている。図示の例は、パック支持パネル６が仕切パネル５と組み合わせて箱体の内部を仕切る仕切を兼ねる例である。これら仕切パネル５とパック支持パネル６とは交差して組み立てられた状態で箱体の中に配置され、箱体の中を４つの区画に仕切る。
【００２８】
仕切パネル５の高さは、側内パネル２、２よりやや低い。また、この仕切パネル５の長さは、後述するようにして組み立てた箱のパック支持パネル１１、１１の間に挿入出来る幅となっている。仕切パネル５の下辺中央部には、その高さの半分程度の深さのスリット１８が縦に切り込まれている。このスリット１８の幅は、次に述べるパック支持パネル６の連結部２３、２３…の幅とほぼ同じであり、上端はＭ字形に切り込まれている。
【００２９】
この仕切パネル５と交差して組み立てられるパック支持パネル６は、中央長手方向に切断線を有する。この切断線の中央と両端に連結部２６、２６…が設けられ、切断線の両側がそこで連絡されている。この連結部２６、２６…は、前述したパック支持パネル１１、１１の中央及び両側に設けた連結部２６、２６…と同等の間隔の平行な２本の折線の間に形成されている。両側の連結部２６、２６の先は突起となってパック支持パネル６の両端から延長されている。中央の連結部２６の中央には、前記切断線と直交する方向にスリット１２が切り出されている。このスリット１２は、図１においてパック支持パネル６の左右及び上下方向の中央部にある。図１においてスリット１２の上下方向の長さは、パック支持パネル６の図１において上下方向の寸法の約１／２強である。また、このスリット１２の幅は、ブランク１枚分の厚さより僅かに広い。
このパック支持パネル６は、後述するようにして連結部２６、２６…の折線で端面が横コ字形に折り曲げられるが、そのとき連結部２６、２６…の間の切断線の部分が起立し、連結部２６、２６…より一段高くなった上辺部２４、２４…となる。
【００３０】
このようなブランクからトレイ形包装用箱を組み立てる手順について次に説明する。
まず、本体の側外パネル２、２と側内パネル８、８の両側の折線から補助フラップ９、９を何れも内側、すなわち図１において紙面の手前側にほぼ９０゜折り曲げる。さらに側外パネル２、２を底パネル１との折線から図１において紙面の手前側にほぼ９０゜折り曲げ、箱体の側面外壁を形成する。このとき補助フラップ９、９は、箱体の端面側に位置する。
【００３１】
次に、パック支持パネル１１、１１の両側のパック支持フラップ７、７をその折線から図１において紙面の奥側にほぼ９０゜折り曲げ、さらに、パック支持フラップ７、７の両側の補助フラップ１９、１９をその折線から図１において紙面の奥側にほぼ９０゜折り曲げる。
次に、側外パネル２、２と側内パネル８、８との間の２条の折線と補助フラップ９、９の２条の破断線とその間の折線をそれぞれ９０゜ずつ図１において手前側に折り曲げる。これにより側内パネル８、８は、側外パネル２、２の内側に折り曲げられ、補助フラップ９、９の上辺側は箱体の端部内側で下方に折り曲げられる。
【００３２】
このとき補助フラップ９、９は、図２において手前側の補助フラップ９、９のように、それらの先端が重なり合うので、横コ字形に折り曲げた一方の補助フラップ９の先端の中に横コ字形に折り曲げた他方の補助フラップ９の先端を挿入する。そして、こられ補助フラップ９、９の先端側に設けた連結係合部１５、１５が重なり合うので、それらを重ね会わせて双方の補助フラップ９、９の先端を連結する。
また、パック支持フラップ７、７は箱体の端部で補助フラップ９、９の内側に位置し、その先端の補助フラップ１９、１９が重なり合って箱体の中央部へ向けて延びる。
【００３３】
次に、側内パネル８、８とパック支持パネル１１、１１との間の連結部２３、２３…の２条の折線のうち、側内パネル８、８との折線を図１において紙面奥側に９０゜折り曲げ、他方のパック支持パネル１１、１１との折線を図１において紙面手前側に９０゜折り曲げる。これにより、図２の奥側に見える側壁のように、側内パネル８、８の下側のパック支持パネル１１、１１が側内パネル８、８から連結部２３、２３…の幅だけ離れて箱体の内側に配置される。同時に、スリットの幅が連結部２３、２３…より狭い分だけスリットの側内パネル８、８側の辺が連結部２３、２３…より高く起立し、パック支持パネル１１、１１の上辺部２２、２２となる。また、パック支持パネル１１、１１の下辺中央の係止突起２１、２１は、前記底パネル１の両側中央に設けたスリット２０、２０と位置が合うので、そこに差し込んでパック支持パネル１１、１１を固定する。
【００３４】
次に、端外パネル３、３を底パネル１との折線から図１において紙面の手前側に９０゜折り曲げ、これを箱体の端部で連結された補助フラップ９、９の外側に添える。続いて端内パネル４、４を、端外パネル３、３との境界である２本の折線で９０゜ずつ箱体の内側に折り曲げ、これを前記補助フラップ９、９の内側に添える。
【００３５】
図２は箱体を組み立てる途中の状態であり、奥側の端外パネル３と端内パネル４を折り曲げて箱体の端部を構成した状態を示している。手前側の端外パネル３と端内パネル４及は、組み立てる手順が分かりやすいように展開したままの状態で示している。そのため、その端部側の補助フラップ９、９が見え、それらの先端が連結係合部１５、１５で連結された状態が見える。
【００３６】
次に、仕切となる仕切パネル５とパック支持パネル６、６を用意する。
まず、パック支持パネル６、６をその連結部２６の平行な２本の折線で９０゜ずつ折り曲げ、連結部２６を上側にして端面を横コ字形とする。この状態では、パック支持パネル６、６の連結部２６の間の切断線が連結部２６より高く起立した上辺部２４、２４…となる。次に、パック支持パネル６、６の中央のスリット１２に仕切パネル５のスリット１８を差し込みながら、パック支持パネル６、６とスリット１２とを直交状に交差させて組み立てる。こうして組み立てたパック支持パネル６、６と仕切パネル５を、それぞれ組み立てた箱体の長手方向と幅方向に向けて、その中に挿入する。このとき、このパック支持パネル６、６の両端部の内側に補助フラップ１９、１９を差し込む。これにより、パック支持パネル６、６が箱体の内部で動かないように支持される。この状態で箱体の内部は、パック支持パネル６、６と仕切パネル５とにより平面上４つの部分に区画される。
【００３７】
この箱体の内部のパック支持パネル５、５と保持パネル６とにより区画された４つの部分には、図２に示すようなトレイ状のパッケージ容器１５を収納する。このパッケージ容器１５は、イチゴ等の生鮮果実を収納するためのもので、収納部１６の開口部の周囲にフランジ１７を有する。パッケージ容器１５は、パック支持パネル５、５と保持パネル６とにより区画された部分に収納された状態でそのフランジ１７の一部、すなわちフランジの側部側が前述したパック支持パネル６、６の上辺部２４、２４とパック支持パネル１１、１１の上辺部２２、２２に載せられ支持される。また、パッケージ容器１５のフランジ１７の一方の端部側は、パック支持フラップ７、７の上辺部２５、２５に載せられ支持される。
【００３８】
箱体を組み立てた状態でパック支持パネル６、６の上辺部２４、２４、パック支持パネル１１、１１の上辺部２２、２２及びパック支持フラップ７、７の上辺部２５、２５の高さはほぼ等しくなる。また、それら上辺部の底パネル１の内面からの高さは、パッケージ容器１５の収納部１６の底面からフランジ１７の高さより高くなっている。このためパック支持パネル５、５と保持パネル６とにより区画された部分に収納されたパッケージ容器１５は、その底面が箱体の底パネル１には接触しない。これにより、箱体の底パネル１を介してパッケージ容器１５の底面に加わる外力を殆ど無くすことが出来る。パッケージ容器１５の中に収納した生鮮果実等の収納物の傷みや破損を防止することが出来る。
【００３９】
さらに、連結フラップ１０、１０の両側の差込フラップ１３、１３を、その基部の折線で箱体の内側に折り曲げ、続いて連結フラップ１０、１０を、その基部の折線で箱体の内側に折り曲げ、差込フラップ１３、１３をスリット１４、１４に挿入しする。差込フラップ１３、１３をスリット１４、１４に挿入した後は、差込フラップ１３、１３の基部の顎状の突起がスリット１４、１４の端部に掛かり、差込フラップ１３、１３がスリット１４、１４から抜け難くなる。スリット１４、１４の位置は、差込フラップ１３、１３がこのようにして挿入出来る位置に形成されている。
【００４０】
このようにして、図３に示した完成図のように、箱体の組み立てとパッケージ容器１５の収納が完了する。
連結フラップ１０、１０は、箱体の四隅に平坦な部分を形成し、パッケージ容器１５の抜け出し等を防止すると共に、複数の箱体を上下に重ねた時に、上の箱体を支持する機能を有する。
【実施例２】
【００４１】
図４〜図６は、本発明によるトレイ形包装用箱の他の実施例を示す図である。図４がトレイ形包装用箱のブランクの展開図であり、図５が箱体の組立途中の状態、図６が箱体の組立が完了した状態の図である。この実施例は、基本的に図１〜図３による前述した実施例と共通しており、同じ部分は同じ符号で示している。図４の展開図における実線、破線、二点鎖線の意味も図１と同様である。
【００４２】
この実施例によるトレイ形包装用箱が図１〜図３により前述した実施例のトレイ形包装用箱と相違する点の一つは、端内フラップ４、４が無い点である。その代わり、第一の補助フラップ９、９がパック支持パネル１１、１１の両側にまであり、折線を介してパック支持パネル１１、１１の両側に連なっている。これに伴い、箱体の端面内側に配置されるパック支持フラップ７、７や補助フラップ１９、１９は無い。また、補助フラップ９、９の先端側には、連結係合部１５、１５が設けられていない。
【００４３】
相違する点の二つは、仕切パネル５がブランクの厚さ２枚分程度の間隔の２本の折線を介して上辺側が連なった２枚の板からなることである。仕切パネル５のスリット１８は、折線が形成された上辺側の中央部となる位置に、それら折線と直交するように設けられている。このスリット１８の下端は、Ｍ字形に切り込まれいる。
【００４４】
パック支持パネル６は、図１〜図３により前述した実施例のトレイ形包装用箱のものと基本的に相違はなく、やはりブランクの厚さ２枚分程度の間隔の２本の折線を介して上辺側が連なった２枚の板からなる。ただし、仕切パネル５のスリット１８と差し込み合うパック支持パネル６のスリット１２は、仕切パネル５のスリット１８が上辺側に設けられた関係から、パック支持パネル６の下辺側となる位置の中央部に下辺と直交するように設けられている。
【００４５】
相違する点の三つは、外端パネル２、２とパック支持パネル１１、１１の底面側に、横に長い通気孔２７、２７、２８、２８が設けられている点である。通気孔２７、２７、２８、２８は、外端パネル２、２とパック支持パネル１１、１１の両側に２つ設けられている。互いに連続する外端パネル２、２とパック支持パネル１１、１１とにそれぞれ設けられた通気孔２７、２７と通気孔２８、２８は、互いに対応する位置に設けられている。
【００４６】
この実施例によるトレイ形包装用箱において、箱体の本体を組み立てる手順は図１〜図３により前述した実施例のトレイ形包装用箱と基本的に同様である。主として異なる点を以下に説明する。
まず、側内パネル８、８とパック支持パネル１１、１１と、その側外パネル２、２との境界である平行な２本の折線において図４において紙面の手前側にほぼ９０゜折り曲げ、側外パネル２、２の内側に側内パネル２、２とパック支持パネル１１、１１を添える。このとき同時に、前記平行な２本の折線の延長線上にある補助フラップ９、９の２条の破断線とその間の折線によって補助フラップ９、９を折り曲げ、同補助フラップ９、９を２枚折りの状態とする。
【００４７】
次に、補助フラップ９、９を、側外パネル２、２、側内パネル８、８及びパック支持パネル１１、１１との境界である折線から内側に折り曲げる。その後、端外パネル２、２を、その底パネル１との折線から図４において紙面の手前側にほぼ９０゜に折り曲げ、箱体の側面外壁を形成する。このとき補助フラップ９、９は、箱体の端面側に位置し、両側壁側から延長された補助フラップ９、９の端部が互いに突き合わせ状態となる。
【００４８】
次に、側内パネル８、８とパック支持パネル１１、１１との間の連結部２３、２３…の２条の折線のうち、側内パネル８、８との折線を図４において紙面奥側に９０゜折り曲げ、他方のパック支持パネル１１、１１との折線を図４において紙面手前側に９０゜折り曲げる。これにより、図５の奥側に見える側壁のように、側内パネル８、８の下側のパック支持パネル１１、１１が側内パネル８、８から連結部２３、２３…の幅だけ離れて箱体の内側に配置される。同時に、スリットの幅が連結部２３、２３…より狭い分だけスリットの側内パネル８、８側の辺が連結部２３、２３…より高く起立し、パック支持パネル１１、１１の上辺部２２、２２となる。また、パック支持パネル１１、１１の下辺中央の係止突起２１、２１は、前記底パネル１の両側中央に設けたスリット２０、２０と位置が合うので、そこに差し込んでパック支持パネル１１、１１を固定する。
【００４９】
次に、端外パネル３、３を底パネル１との折線から図４において紙面の手前側に９０゜折り曲げ、これを箱体の端部で連結された補助フラップ９、９の外側に添える。図５は箱体を組み立てる途中の状態であり、奥側の端外パネル３を折り曲げて箱体の端部を構成した状態を示している。手前側の端外パネル３は、組み立てる手順が分かりやすいように展開したままの状態で示している。
【００５０】
次に、仕切となる仕切パネル５とパック支持パネル６、６を用意する。
まず、パック支持パネル６、６をその連結部２６の平行な２本の折線で９０゜ずつ折り曲げ、連結部２６を上側にして端面を横コ字形とする。この状態では、パック支持パネル６、６の連結部２６の間の切断線が連結部２６より高く起立した上辺部２４、２４…となる。また、仕切パネル５、５も、その平行な２本の折線で９０゜ずつ折り曲げ、折線側を上にして端面を横コ字形とする。
【００５１】
次に、仕切パネル５、５をパック支持パネル６、６の下側にし、パック支持パネル６、６の中央のスリット１２に仕切パネル５のスリット１８を差し込みながら、パック支持パネル６、６とスリット１２とを直交状に交差させて組み立てる。こうして組み立てたパック支持パネル６、６と仕切パネル５を、それぞれ組み立てた箱体の長手方向と幅方向に向けて、その中に挿入する。この状態で箱体の内部は、パック支持パネル６、６と仕切パネル５とにより平面上４つの部分に区画される。
【００５２】
この箱体の内部のパック支持パネル５、５と保持パネル６とにより区画された４つの部分には、既に前述した実施例と同様に、図５に示すようなトレイ状のパッケージ容器１５を収納する。この実施例では、パッケージ容器１５のフランジ１７の側部側が前述したパック支持パネル６、６の上辺部２４、２４とパック支持パネル１１、１１の上辺部２２、２２に載せられ支持される。
【００５３】
箱体を組み立てた状態でパック支持パネル６、６の上辺部２４、２４とパック支持パネル１１、１１の上辺部２２、２２の高さはほぼ等しくなる。また、それら上辺部の底パネル１の内面からの高さは、パッケージ容器１５の収納部１６の底面からフランジ１７の高さより高くなっているため、パック支持パネル５、５と保持パネル６とにより区画された部分に収納されたパッケージ容器１５は、その底面が箱体の底パネル１には接触しない。また特に、図４〜図６に示した実施例では、パック支持パネル６、６と共に、仕切パネル５、５も、その平行な２本の折線で９０゜ずつ折り曲げ、折線側を上にして端面を横コ字形となっているため、パック支持パネル１１、１１の上辺部２２、２２に加わった生鮮果実のパッケージ容器１５の荷重が、パック支持パネル６、６と仕切パネル５、５の２枚にパネルに分散して支持される。これにより、より安定した支持が可能となる。
【００５４】
さらに、連結フラップ１０、１０の両側の差込フラップ１３、１３を、その基部の折線で箱体の内側に折り曲げ、続いて連結フラップ１０、１０を、その基部の折線で箱体の内側に折り曲げ、差込フラップ１３、１３をスリット１４、１４に挿入しする。
このようにして、図６に示した完成図のように、箱体の組み立てとパッケージ容器１５の収納が完了する。
【００５５】
なお、以上の各実施例の説明において、箱体の側面と端面は、箱体の上面と底面を除く４面を対向する２組ずつの面に区分して説明するためのもので、箱体の絶対的な位置関係を意味するものではない。それ故例えば、「側外パネル２、２」を「端外パネル２、２」と言い換え、「端外パネル３、３」を「側外パネル３、３」と言い換えることもできることはもちろんである。
【図面の簡単な説明】
【００５６】
【図１】本発明の一実施例によるトレイ形包装用箱を組み立てる前のブランクを示す平面図である。
【図２】同実施例によるトレイ形包装用箱を組み立てる途中の状態を示す斜視図である。
【図３】同実施例によるトレイ形包装用箱の組み立てが完了した状態を示す斜視図である。
【図４】本発明の他の実施例によるトレイ形包装用箱を組み立てる前のブランクを示す平面図である。
【図５】同実施例によるトレイ形包装用箱を組み立てる途中の状態を示す斜視図である。
【図６】同実施例によるトレイ形包装用箱の組み立てが完了した状態を示す斜視図である。
【符号の説明】
【００５７】
１    底パネル
６    パック支持パネル
７    パック支持フラップ
１１  パック支持パネル
１５  パッケージ容器
１７  パッケージ容器のフランジ
２２  支持パネルの上辺部
２４  パック支持パネルの上辺部
２５  パック支持フラップの上辺部
【図１】
2005200080.tif 000003
【図２】
2005200080.tif 000004
【図３】
2005200080.tif 000005
【図４】
2005200080.tif 000006
【図５】
2005200080.tif 000007
【図６】
2005200080.tif 000008